(57)【特許請求の範囲】
【請求項１】
互いに所定の間隔だけ離間され、上筋に対して所定の角度だけ傾くように配設される一対の側部材と、
前記側部材の上端を互いに連結するものであって、下部の前端に前記上筋が嵌着するように下部が開放され、半径が前記上筋の半径に等しい半円形状の上筋嵌合溝が刻設され、前記上筋嵌合溝の上部の後端には前記上筋の上面に密着するように傾いた羽根部が配設された上部材と、
前記側部材の下部の一方側の端に垂直に突設したものであって、上部に下筋が前記上筋とは垂直な方向に嵌着するように上部が開放され、半径が前記下筋の半径に等しい半円形状の下筋嵌合溝が刻設され、外端部には、前記下筋の抜脱を防ぐものであって、下端が開放されて断面が逆Ｕ字状を呈するストッパが上向きに突設した下部材と、
を備える、合成樹脂材質のワンタッチ式鉄筋結束クリップで垂直に交差する前記上筋と前記下筋を結束する装着構造であって、
垂直に交差する前記上筋及び前記下筋に嵌め込ませるとき、前記上筋嵌合溝の上部と前記下筋嵌合溝の下端とを結ぶ線は、垂直距離が前記上筋の径及び前記下筋の径の和に等しく、前記上筋の長手方向と垂直をなすように前記側部材及び前記下部材が前記線に対して斜設される、装着構造。
【請求項２】
前記上筋嵌合溝は、２本が並設される、請求項１に記載の装着構造。
【請求項３】
前記ワンタッチ式鉄筋結束クリップは、前記上筋及び前記下筋嵌合溝の直径に応じて色相を異にする、請求項１又は２に記載の装着構造。
【請求項４】
前記ワンタッチ式鉄筋結束クリップの一方の側には、ＲＦＩＤチップが取り付けられる、請求項１又は２に記載の装着構造。
【発明の詳細な説明】
【技術分野】
【０００１】
本発明は、直交に交差する上筋及び下筋を結束する結束クリップに係り、さらに詳しくは、構成が単純であることから製造し易く、鉄筋から抜去しない他、嵌設し易いワンタッチ結束クリップに関する。
【背景技術】
【０００２】
鉄筋コンクリート構造物の内部には鉄筋が配筋されるが、通常、異方向に鉄筋が交差するように配筋される。一般に、鉄筋結束具を用いて、なまし鉄線などの針金などの結束線で鉄筋の交差部を括り付ける。このような針金による結束作業は人力による作業であるため多大な手間を要し、作業が煩雑である他、結束状態がばらつくという不都合がある。
【０００３】
また、図１の（ａ）に示すように、交差状に配筋される鉄筋を結束しながら鉄筋が型枠の底面から所定の高さに配置されるように一方の側に下位鉄筋受部を形成し、逆Ｕ字状の板体からなる鉄筋受止台が提案されている。
【０００４】
しかしながら、上述したような鉄筋受止台は、下筋が鉄筋受止台の一方の側に偏るように結束されるが故に、鉄筋受止台のバランスが崩れて傾いてしまい、これにより、鉄筋が鉄筋受止台から抜け落ちてしまう虞がある。
【０００５】
このため、図１の（ｂ）に示すように、鉄筋受止台の後方に弾力羽根を設けて鉄筋の抜脱を防ぐ鉄筋受止台が提案されているが（例えば、大韓民国登録特許第１０−１１２９９６１号公報参照）、弾性力を有する材質である弾力羽根を取着することを余儀なくされるが故に構成が複雑になり、製造し難いが故に製作コストが高騰してしまう。
【０００６】
なお、このような鉄筋受止台もまた、下筋が一方の側に偏るように配置されるが故に鉄筋受止台が一方の側に傾いてしまい、鉄筋の太さや重さに応じて弾力羽根がその重さに耐えないが故に変形が起こる虞があり、これにより、鉄筋から抜去するという不都合がある。
【先行技術文献】
【特許文献】
【０００７】
【特許文献１】大韓民国登録特許第１０−１１２９９６１号公報
【発明の概要】
【発明が解決しようとする課題】
【０００８】
上述したような不都合を解消するために、本発明は、垂直に交差する上下筋の結束部が中央に位置するようにバランスよく支持して受け止め、鉄筋が抜脱しないように結束するものであって、弾力羽根が不要になることから構成が単純であり、しかも、しまり嵌めにより上下筋を強固に結束するワンタッチ式鉄筋結束クリップを提供することを目的としている。
【課題を解決するための手段】
【０００９】
上述したような不都合を解消するために、好適な実施形態による本発明は、合成樹脂により形成されて直交に交差する上筋及び下筋を結束するためのものであって、互いに所定の間隔だけ離間され、上筋に対して所定の角度だけ傾くように配設される一対の側部材と、前記側部材の上端を互いに連結するものであって、下部の前端に上筋が嵌着するように下部が開放され、半径が上筋の半径に等しい半円形状の上筋嵌合溝が刻設され、前記上筋嵌合溝の上部の後端には上筋の上面に密着するように傾いた羽根部が配設された上部材と、前記側部材の下部の一方側の端に垂直に突設したものであって、上部に下筋が上筋とは垂直な方向に嵌着するように上部が開放され、半径が下筋の半径に等しい半円形状の下筋嵌合溝が刻設され、外端部には、下筋の抜脱を防ぐものであって、下端が開放されて断面が逆Ｕ字状を呈するストッパが上向きに突設した下部材と、を備えるが、
直交に交差する上筋及び下筋に嵌め込ませるとき、前記上筋嵌合溝の上部と下筋嵌合溝の下端とを結ぶ線は、垂直距離が上筋の径及び下筋の径の和に等しく、上筋の長手方向と垂直をなすように側部材及び下部材が斜設されることを特徴とするワンタッチ式鉄筋結束クリップを提供する。
【００１０】
他の好適な実施形態による本発明は、前記上筋嵌合溝が、２本が並設されることを特徴とするワンタッチ式鉄筋結束クリップを提供する。
【００１１】
さらに他の好適な実施形態による本発明は、前記ワンタッチ式鉄筋結束クリップが、上筋及び下筋嵌合溝の直径に応じて色相を異にすることを特徴とするワンタッチ式鉄筋結束クリップを提供する。
【００１２】
さらに他の好適な実施形態による本発明は、前記ワンタッチ式鉄筋結束クリップの一方の側には、ＲＦＩＤチップが取り付けられることを特徴とするワンタッチ式鉄筋結束クリップを提供する。
【発明の効果】
【００１３】
ワンタッチといった簡単な作業過程だけで直交する上下筋にしまり嵌めにより嵌め込ませて上下筋の結束部が鉄筋結束クリップの中央に位置するように固定することができる。
【００１４】
これにより、外部の衝撃にも拘わらず、鉄筋から抜去することなく安定的に且つ強固に固定することができる。
【００１５】
また、鉄筋の径別に若しくは組み合わせ別に色相を異にして鉄筋の配筋状態を手軽に確認することができる。
【００１６】
さらに、ＲＦＩＤチップを組み込んだ場合、配筋された鉄筋の情報を速やかに確認することができ、コンクリートの施工後であってもコンクリートの損傷なしに鉄筋の種類及び配筋位置などを一括して確認することができて、非破壊検査を行うことができる。
【図面の簡単な説明】
【００１７】
【図１】従来の鉄筋受止台の実施形態を示す斜視図である。
【図２】本発明のワンタッチ式鉄筋結束クリップを示す斜視図である。
【図３】本発明のワンタッチ式鉄筋結束クリップの嵌設順序を示す側面図である。
【図４】本発明のワンタッチ式鉄筋結束クリップの嵌設状態を示す斜視図である。
【図５】ストッパが設けられた本発明のワンタッチ式鉄筋結束クリップの嵌設順序を示す側面図である。
【図６】下端が開放されたストッパが設けられた本発明のワンタッチ式鉄筋結束クリップを示す斜視図である。
【図７】羽根部が設けられた本発明のワンタッチ式鉄筋結束クリップを示す斜視図である。
【図８】図７の側面図である。
【図９】一対の上筋嵌合溝が設けられた本発明のワンタッチ式鉄筋結束クリップを示す斜視図である。
【発明を実施するための形態】
【００１８】
上述したような目的を達成するために、本発明のワンタッチ式鉄筋結束クリップは、直交に交差する上筋及び下筋を結束するためのものであって、互いに所定の間隔だけ離間され、上筋に対して所定の角度だけ傾くように配設される一対の側部材と、前記側部材の上端を互いに連結するものであって、下部の前端に上筋が嵌着するように下部が開放され、半径が上筋の半径に等しい半円形状の上筋嵌合溝が刻設された上部材と、前記側部材の下部の一方側の端に垂直に突設したものであって、上部に下筋が上筋とは垂直な方向に嵌着するように上部が開放され、半径が下筋の半径に等しい半円形状の下筋嵌合溝が刻設された下部材と、を備えるが、前記上筋嵌合溝の上部と下筋嵌合溝の下端とを結ぶ線は、垂直距離が上筋の径及び下筋の径の和に等しく、上筋の長手方向と垂直をなすことを特徴とする
以下、添付図面及び好適な実施形態に基づいて本発明について詳細に説明する。
【００１９】
図２は、本発明のワンタッチ式鉄筋結束クリップを示す斜視図であり、図３は、本発明のワンタッチ式鉄筋結束クリップの嵌設順序を示す側面図であり、図４は、本発明のワンタッチ式鉄筋結束クリップの嵌設状態を示す斜視図である。
【００２０】
図２から図４に示すように、本発明は、合成樹脂により形成されて直交に交差する上筋１００及び下筋２００を結束するためのものであって、互いに所定の間隔だけ離間され、上筋１００に対して所定の角度だけ傾くように配設される一対の側部材１１と、前記側部材１１の上端を互いに連結するものであって、下部の前端に上筋１００が嵌着するように下部が開放され、半径が上筋１００の半径に等しい半円形状の上筋嵌合溝１２１が刻設され、前記上筋嵌合溝１２１の上部の後端には上筋１００の上面に密着するように傾いた羽根部１２２が配設された上部材１２と、前記側部材１１の下部の一方側の端に垂直に突設したものであって、上部に下筋２００が上筋１００とは垂直な方向に嵌着するように上部が開放され、半径が下筋２００の半径に等しい半円形状の下筋嵌合溝１３１が刻設され、外端部には、下筋２００の抜脱を防ぐものであって、下端が開放されて断面が逆Ｕ字状を呈するストッパ１３２が上向きに突設した下部材と、を備えるが、直交に交差する上筋１００及び下筋２００に嵌め込ませるとき、前記上筋嵌合溝１２１の上部と下筋嵌合溝１３１の下端とを結ぶ線は、垂直距離ｄ３が上筋の径ｄ１及び下筋の径ｄ２の和に等しく、上筋１００の長手方向と垂直をなすように側部材１１及び下部材１３が斜設されることを特徴とする。
【００２１】
前記側部材１１は、前記上筋１００が下部に嵌め込まれるように一対が互いに所定の間隔だけ離間されて配設される。
【００２２】
前記側部材１１は、前記上下筋１００、２００と係合するとき、垂直線に対して所定の角度だけ傾いて、前記上筋嵌合溝１２１及び前記下筋嵌合溝１３１の中心線と上下筋１００、２００の係合位置とを一致させるように配設される。このとき、前記側部材１１の角度は、係合する上下筋１００、２００の直径に応じてそれぞれ異なっていてもよい。
【００２３】
前記上部材１２は、前記一対の側部材１１の上端を互いに連結するものであって、下部に上筋１００が嵌め込まれる上筋嵌合溝１２１が刻設される。
【００２４】
前記上筋嵌合溝１２１は、下部が開放されるが、前記上筋１００の径に等しい径の半円形状に刻設されて、前記上筋１００が嵌め込まれながら上筋１００の上部が密着するように刻設する。
【００２５】
前記下部材１３は、前記一対の側部材１１の一方の側にそれぞれ垂直に平行に、すなわち、上筋１００と平行に突設されるが、各下部材１３の上面には、上部が開放されて前記上部材１２と平行に、すなわち、平面視で上筋１００と垂直に下筋２００が嵌め込まれるように下筋２００の半径に等しい半径の下筋嵌合溝１３１が刻設される。
【００２６】
前記側部材１１と、前記上部材１２及び前記下部材１３は一体形に形成されたものであって、合成樹脂により金型加工などを施して製作してもよい。前記ワンタッチ式鉄筋結束クリップ１は構成が単純であることから軽量であり、材料費及び製造コストを節減することができる。
【００２７】
前記ワンタッチ式鉄筋結束クリップ１は、図３の（ａ）に示すように、前記上筋嵌合溝１２１を上筋１００の上部に嵌合させた後、上筋嵌合溝１２１を中心として下筋２００が存在する側に向かって前記下筋嵌合溝１３１に下筋２００が嵌め込まれるように回して係止した後、図３の（ｂ）に示すように嵌設する。
【００２８】
これにより、図４に示すように、直交に交差する上筋１００及び下筋２００を結束する。
【００２９】
このとき、図３から明らかなように、前記ワンタッチ式鉄筋結束クリップ１は、側面視で、前記上筋嵌合溝１２１の最上端部と前記下筋嵌合溝１３１の最下端部とを結ぶ上筋１００の長手方向と垂直をなす垂直距離ｄ３は、上筋の径ｄ１及び下筋の径ｄ２の和に等しい。
【００３０】
これにより、ワンタッチ式鉄筋結束クリップ１の側部材１１及び下部材１３を上筋１００の長手方向と垂直をなすように傾けて、上筋嵌合溝１２１及び下筋嵌合溝１３１の中心線と上筋１００及び下筋２００の係合位置とを一致させて、安定的に且つバランスよく互いを支持しながらも抜脱しないように結束することができる。なお、構成が簡単であり、しかも、単にクリップを回すだけで手軽にワンタッチ方式で嵌設することができる。
【００３１】
図５は、ストッパが設けられた本発明のワンタッチ式鉄筋結束クリップの嵌設順序を示す側面図である。
【００３２】
図５に示すように、前記下部材１３の端部には、下筋２００の抜脱を防ぐストッパ１３２が上向きに突設される。
【００３３】
前記ストッパ１３２は、前記下部材１３の端部に一体形に突設されるものであって、前記下筋嵌合溝１３１が延びるように上向きに形成される。
【００３４】
すなわち、前記ストッパ１３２は、下筋２００が当接する内側面が下筋嵌合溝１３１の半円形につながるが、前記下筋２００が抜脱しないように下筋２００を取り囲むストッパ１３２の内側面と前記側部材１１との間の最短の直線距離が下筋の径ｄ２よりも若干小さくなるように形成する。
【００３５】
これにより、前記下筋２００に下部材１３をしまり嵌めにより係合するので、より広い面が下筋２００を取り囲んで下筋２００が抜脱することを防ぐ。
【００３６】
図６は、下端が開放されたストッパが設けられた本発明のワンタッチ式鉄筋結束クリップを示す斜視図である。図６に示すように、前記ストッパ１３２は、下端が開放されて断面が逆Ｕ字状を呈することを特徴とする。
【００３７】
前記ストッパ１３２は、下筋２００との係合し易さのために弾性が必要であるため、それ自体の形状でも弾性を有するように内部に中空部を形成することが必要である。このため、ストッパ１３２の下端に逆Ｕ字状の溝が刻設されるように配設される。したがって、下筋２００との係合時にストッパ１３２が弾力的に撓んで下筋２００が下筋嵌合溝１３１に嵌め込まれ、嵌め込まれた後には密着するように係合可能である。
【００３８】
前記逆Ｕ字状の溝は、前記ストッパ１３２の下端から下部材１３の下端までに亘って一体形に形成されて、ストッパ１３２及び下部材１３が弾性を有するので、より手軽に下筋２００と嵌合可能である。
【００３９】
図７は、羽根部が設けられた本発明のワンタッチ式鉄筋結束クリップを示す斜視図であり、図８は、図７の側面図である。
【００４０】
図７及び図８に示すように、前記上筋嵌合溝１２１の上部の後端には、上筋１００の上面に密着するように傾いた羽根部１２２が配設される。
【００４１】
上筋１００が前記上筋嵌合溝１２１と嵌合するとき、前記上筋１００と上部材１２との間に隙間部が生成されるが、このため、前記羽根部１２２を備えていてもよい。
【００４２】
前記羽根部１２２は、半円形状の前記上筋嵌合溝１２１の上部の後端に小片状に配設されてもよく、下端が上筋１００の上面と当接して支持されるように形成するが、前記上部材１２や前記側部材１１の形状に応じてその形状が異なっていてもよい。
【００４３】
これにより、前記羽根部１２２が上筋１００の上部に密着してワンタッチ式鉄筋結束クリップ１が所定の角度以上回されないようにすることで、鉄筋の結束が解かれないように強固に固定される。加えて、前記羽根部１２２はリブの役割を果たして、上部材１２の剛性を補強することができる。
【００４４】
図９は、一対の上筋嵌合溝が設けられた本発明のワンタッチ式鉄筋結束クリップを示す斜視図である。図９に示すように、上部材１２の下部に２本の上筋嵌合溝１２１が並設されてもよい。
【００４５】
前記上筋嵌合溝１２１は、前記上部材１２に上筋１００の径に等しい径を有するように形成された半円形状に刻設されるが、２本が連続して並設されて、重ね継手などにより一対の上筋１００が重なり合う個所に刻設される。
【００４６】
前記ワンタッチ式鉄筋結束クリップ１は、上筋及び下筋嵌合溝１３１の径に応じて色相を異にすることを特徴とする。
【００４７】
前記ワンタッチ式鉄筋結束クリップ１は、嵌合される鉄筋の径が様々であるため、様々な方式で組み合わせて使用している。このため、前記ワンタッチ式鉄筋結束クリップ１が様々な組み合わせ別に色相を異にして配設されれば、嵌設し易いだけではなく、嵌設した後であっても色相だけでどのような径の鉄筋が使われたかを速やかに区別することができる。
【００４８】
他の実施形態によれば、上筋の径ｄ１と下筋の径ｄ２とが異なる場合、上部材１２及び側部材１１の色相と下部材１３の色相とを異にしてもよい。
【００４９】
これにより、それぞれの鉄筋の径別に色相を指定して、遠距離からも鉄筋の径を把握することができるだけではなく、鉄筋が配筋図に基づいて正常に配筋されたか否かを手軽に確認することができる。
【００５０】
前記ワンタッチ式鉄筋結束クリップ１の一方の側には、ＲＦＩＤチップが取り付けられてもよい。
【００５１】
前記ＲＦＩＤチップは、「Ｒａｄｉｏ  Ｆｒｅｑｕｅｎｃｙ  ＩＤｅｎｔｉｆｉｃａｔｉｏｎ」チップの略であり、小型の半導体チップを用いて、非接触方式で周波数を用いてＩＤを識別して情報を処理するシステムであって、バッテリの有無に応じて能動型のチップ及び受動型のチップに大別される。
【００５２】
前記ＲＦＩＤチップは、前記ワンタッチ式鉄筋結束クリップ１に取り付けられて使用されるためには受動型であることが好ましいが、前記受動型のチップは、電源の供給なしに電子読取り器が近付いたときに電磁気場によって作動されるものであって、半永久的に使用可能である。
【００５３】
前記ＲＦＩＤチップには、前記ワンタッチ式鉄筋結束クリップ１の上筋及び下筋嵌合溝１２１、１３１の直径や長さの情報が入力されているので、結束されるそれぞれの上下筋の径ｄ１、ｄ２の情報を携帯型読取り器を用いて手軽に且つ速やかに読み取ることができる。
【００５４】
また、コンクリートを打設した後に硬化されて使用される間であっても、鉄筋の配筋情報を正確に収集することができる。このため、鉄筋コンクリート構造物の内部の鉄筋の径及び配筋の位置などを正確に把握することができて、非破壊検査に際して活用することができる。
【産業上の利用可能性】
【００５５】
本発明は、ワンタッチといった簡単な作業過程だけで直交する上下筋にしまり嵌めにより嵌め込ませて上下筋の結束部が鉄筋結束クリップの中央に位置するように固定することができ、これにより、外部の衝撃にも拘わらず、鉄筋から抜去することなく安定的に且つ強固に固定することができる。また、鉄筋の径別に若しくは組み合わせ別に色相を異にして鉄筋の配筋状態を手軽に確認することができるという点で産業上の利用可能性がある。
【図１（ａ）】
0006532591.tif 000002
【図１（ｂ）】
0006532591.tif 000003
【図２】
0006532591.tif 000004
【図３（ａ）】
0006532591.tif 000005
【図３（ｂ）】
0006532591.tif 000006
【図４】
0006532591.tif 000007
【図５（ａ）】
0006532591.tif 000008
【図５（ｂ）】
0006532591.tif 000009
【図５（ｃ）】
0006532591.tif 000010
【図６】
0006532591.tif 000011
【図７】
0006532591.tif 000012
【図８】
0006532591.tif 000013
【図９】
0006532591.tif 000014